(57)【要約】      （修正有）【課題】一体構造の設計によって、収集、徐放、検出をワンステップで実現し、検出効率を向上させた、サンプル収集および検出装置を提供する。【解決手段】測定デバイス１と液体貯蔵デバイスはねじでねじ込まれ、サンプリングデバイス２は測定デバイスと液体貯蔵デバイスの間に配置され、ハウジング４の頂端に蓋５が着脱可能に接続され、蓋上に測定シート６が挿通されるとともに、ハウジングの内部にスポンジブロック８が配置され、スポンジブロックおよびハウジングによって検出領域が形成され、液体貯蔵デバイスはケーシング１０を含み、このケーシングの一端にナット１３がねじ込まれ、ナット内部に一体成形の仕切り板によって液体貯蔵領域が形成され、仕切り板上にドレナージチューブが固定される。【選択図】図１
0003233795.tif 000002
【実用新案登録請求の範囲】
【請求項１】
測定デバイス（１）、サンプリングデバイス（２）および液体貯蔵デバイス（３）を含み、
前記測定デバイス（１）と前記液体貯蔵デバイス（３）がねじでねじ込まれ、
前記サンプリングデバイス（２）は前記測定デバイス（１）と前記液体貯蔵デバイス（３）の間に配置され、
前記測定デバイス（１）はハウジング（４）を含み、前記ハウジング（４）の頂端に蓋（５）が着脱可能に接続され、前記蓋（５）上に測定シート（６）が挿通されるとともに、前記ハウジング（４）の内部にスポンジブロック（８）が配置され、前記スポンジブロック（８）および前記ハウジング（４）によって検出領域（９）が形成され、
前記液体貯蔵デバイス（３）はケーシング（１０）を含み、前記ケーシング（１０）の一端にナット（１３）がねじ込まれ、前記ナット（１３）の内部に一体成形の仕切り板（１４）によって液体貯蔵領域（１９）が形成され、前記仕切り板（１４）上にドレナージチューブ（１５）が固定的に取り付けられ、前記ケーシング（１０）の内部にゴム層（１７）が設けられ、前記ゴム層（１７）上に前記ドレナージチューブ（１５）に対応する切欠（１６）が設けられることを特徴とする、サンプル収集および検出装置。
【請求項２】
前記ハウジング（４）上に前記検出領域（９）に対応する透明領域（７）が設けられることを特徴とする、請求項１に記載のサンプル収集および検出装置。
【請求項３】
前記サンプリングデバイス（２）は、液体吸収能力の高いスポンジ材質であることを特徴とする、請求項１に記載のサンプル収集および検出装置。
【請求項４】
前記ケーシング（１０）の両端にそれぞれ短いねじ口（１１）と長いねじ口（１２）が設けられ、前記短いねじ口（１１）は前記測定デバイス（１）とのねじ込みに使用され、前記長いねじ口（１２）は前記ナット（１３）とのねじ込みに使用されることを特徴とする、請求項１に記載のサンプル収集および検出装置。
【請求項５】
前記ハウジング（４）と前記蓋（５）はねじで接続されることを特徴とする、請求項１に記載のサンプル収集および検出装置。
【請求項６】
前記ナット（１３）上にゴムシールプラグ（１８）が設けられることを特徴とする、請求項１に記載のサンプル収集および検出装置。
【考案の詳細な説明】
【技術分野】
【０００１】
本考案は、サンプル収集および検出装置の技術分野に関し、特にサンプル収集および検出装置に関する。
【背景技術】
【０００２】
免疫結合反応の原理を使用してサンプル中の分析物の存在を検出する技術は、様々な分野で広く応用されている。様々な生物学的サンプル（唾液、血液、尿、血清、汗など）の分析物を検出して、病気や人間の健康状況（ホルモン、腫瘍、感染症、麻薬など）を監視するために使用され得る。このような検出技術の基本原理は、抗体と抗原、ハプテン/抗体、ビオチンと抗生剤などの免疫分子間の特異的結合特性に基づくものである。
【０００３】
医療診断の分野では、検出装置または検出カップを使用して液体サンプルを収集および検出し、液体サンプルに分析物が含有されているかどうかを判断するのが一般的な方法である。このような検出装置または検出カップについては、一般に、サンプル容器内にサンプルを収集し、関連する技術者によって検出試薬シートを、試薬シートの一部をサンプルに浸漬させるように挿入し、一定の期間後、試薬シートを取り出して検出結果を読み取ることが求められている。
【０００４】
しかしながら、既存の検出装置には、ほとんどの検出装置は別体構造であり、個別に操作され、操作要求が比較的高く、検出装置の構造がコンパクトではなく、持ち運びに不便であるという問題がある。
【０００５】
したがって、上記の技術的問題を解決することができるサンプル収集および検出装置を提供する必要がある。
【考案の概要】
【考案が解決しようとする課題】
【０００６】
上記の技術的問題を解決するために、本考案は、既存の検出装置における、ほとんどの検出装置が別体構造であり、個別に操作され、操作要求が比較的に高く、検出装置の構造がコンパクトではなく、持ち運びに不便であるという問題を解決することができるサンプル収集および検出装置を提供する。
【課題を解決するための手段】
【０００７】
本考案によって提供されるサンプル収集および検出装置は、測定デバイス、サンプリングデバイスおよび液体貯蔵デバイスを含み、そのうちに、測定デバイスと液体貯蔵デバイスがねじでねじ込まれ、サンプリングデバイスは測定デバイスと液体貯蔵デバイスの間に配置され、前記測定デバイスはハウジングを含み、前記ハウジングの頂端に蓋が着脱可能に接続され、蓋上に測定シートが挿通されるとともに、前記ハウジングの内部にスポンジブロックが配置され、スポンジブロックおよびハウジングによって検出領域が形成され、前記液体貯蔵デバイスはケーシングを含み、このケーシングの一端にナットがねじ込まれ、前記ナットの内部に一体成形の仕切り板によって液体貯蔵領域が形成され、前記仕切り板上にドレナージチューブが固定的に取り付けられ、前記ケーシングの内部にゴム層が設けられ、前記ゴム層上にドレナージチューブに対応する切欠が設けられる。
【０００８】
好ましくは、前記ハウジング上に検出領域に対応する透明領域が設けられ、操作者が検出結果を観察するのを容易にする。
【０００９】
好ましくは、前記サンプリングデバイスは、液体吸収能力の高いスポンジ材質であり、より具体的には、このスポンジ材料はポリエステルまたは発泡体などの材質である。
【００１０】
好ましくは、前記ケーシングの両端にそれぞれ短いねじ口と長いねじ口が設けられ、この短いねじ口は測定デバイスとのねじ込みに使用され、長いねじ口はナットとのねじ込みに使用される。
【００１１】
好ましくは、前記ハウジングと蓋はねじで接続され、着脱可能に接続されて、使用に便利である。
【００１２】
好ましくは、前記ナット上にゴムシールプラグが設けられ、液体注入口のシールを容易にする。
【考案の効果】
【００１３】
関連技術と比較すると、本考案によって提供されるサンプル収集および検出装置は、以下の有益な効果を有する。
【００１４】
本考案は、ペン型の測定デバイス、サンプリングデバイスおよび液体貯蔵デバイスを設計し、測定デバイスと液体貯蔵デバイスをねじ込み、サンプリングデバイスを両者の接続箇所に配置する一体化構造の設計によって、収集、徐放および検出をワンステップで実現し、検出効率を向上させる。
【図面の簡単な説明】
【００１５】
【図１】本考案の分解構造の概略底面図。
【図２】本考案の分解構造の概略平面図である。
【図３】本考案のナット内部の概略構造図である。
【考案を実施するための形態】
【００１６】
以下、図面および実施形態と併せて本考案をさらに説明する。
【００１７】
具体的な実施過程では、図１および図２に示すように、サンプル収集および検出装置は、測定デバイス１、サンプリングデバイス２および液体貯蔵デバイス３を含み、そのうちに、測定デバイス１と液体貯蔵デバイス３がねじでねじ込まれ、サンプリングデバイス２は測定デバイス１と液体貯蔵デバイス３の間に配置され、動作過程は以下のとおりである：サンプリングデバイス２によって液体サンプルまたは乾燥粉末サンプルを収集し、次に液体サンプルまたは乾燥粉末サンプルで満たされたサンプリングデバイス２を測定デバイス１と液体貯蔵デバイス３の間に配置した後、液体貯蔵デバイス３から緩衝液をサンプリングデバイス２に放出し、最後に混合された液体を測定デバイス１内に注入して検出を行う。
【００１８】
具体的には、測定デバイス１は筒形のハウジング４を含み、このハウジング４の上端および下端の内部にそれぞれねじが設けられ、上方のねじに蓋５がねじ込まれ、この蓋５上に着脱可能な測定シート６が挿通され、下方のねじは液体貯蔵デバイス３とのねじ込みに使用され、好ましくは、ハウジング４上に透明領域７が設けられ、操作者がハウジング４内部の検出結果をより早く直接観察することができ、十分に混合された液体を測定デバイス１内部にスムーズに注入するために、ハウジング４の内部にスポンジブロック８が設けられ、緩衝液とサンプル液体が十分に混合された後、スポンジブロック８がその吸水性を利用して混合液体を含浸させ、最終にスポンジブロック８の受け渡しによって液体がハウジング４の検出領域９内に流れ込み、検出領域９内に設けられた測定シート６が混合液体と反応して検出結果を表す。
【００１９】
上記の測定シート６としては、様々な分析物を検出することができる水平流動型の検出用試験シートを選択することができるが、もちろん、他の適切な測定デバイス１も本考案に適用され得、各種の測定デバイス１を組み合わせて本考案に応用することができ、一例として検出用試験紙を使用するが、サンプル中の分析物（例えば麻薬または体調を表す代謝物、ウイルスおよび細菌などの感染源）を分析する検出用試験紙は様々な形式、例えば免疫測定または化学的分析の形式であり得、検出用試験紙は、サンプル受容領域を有する吸水材料、試薬領域および測定領域を含み、サンプルがサンプル受容領域に加えられ、毛細管作用を通じて試薬領域に流がれ、試薬領域では、分析物が存在すると、サンプルが試薬と結合され、その後サンプルが検出領域９に流れ続ける。
【００２０】
具体的に、サンプリングデバイス２は、液体吸収能力の高いスポンジ材質であり、より具体的には、このスポンジ材料はポリエステルまたは発泡体などの材質である。
【００２１】
具体的な実施過程では、図３に示すように、液体貯蔵デバイス３は、筒形のケーシング１０を含み、このケーシング１０の一端に測定デバイス１とねじ込まれるための短いねじ口１１が設けられ、他端に長いねじ口１２が設けられ、長いねじ口１２にナット１３がねじ込まれ、このナット１３の内部に一体成形の仕切り板１４によって緩衝液を貯蔵するための液体貯蔵領域１９が形成されるとともに、仕切り板１４上に内側へ延伸するドレナージチューブ１５が固定的に接続され、ドレナージチューブ１５によって液体貯蔵領域１９内部の液体が導出され、ケーシング１０はその中央領域にゴム層１７が設けられ（ドレナージチューブ１５の他端がゴム層１７に当接されて液体漏れを防止する）、このゴム層１７にドレナージチューブ１５に対応する切欠１６が設けられ、この切欠１６は液体が通過できないように通常の状態で封止され、ドレナージチューブ１５はゴム層１７の切欠１６を介してケーシング１０の他方の領域に入り、この領域には、液体と反応するサンプリングデバイス２が配置され、ナット１３の端面にゴムシールプラグ１８が設けられ、そこから緩衝液を液体貯蔵領域１９内に注入することができる。
【００２２】
本考案によって提供されるサンプル収集および検出装置の動作原理は、以下のとおりである：サンプリングデバイス２は、液体サンプルまたは乾燥粉末サンプルを収集し、液体サンプルまたは乾燥粉末サンプルで満たされたサンプリングデバイス２を測定デバイス１と液体貯蔵デバイス３の間に配置し、そして液体貯蔵デバイス３のナット１３を回転させてドレナージチューブ１５を駆動してゴム層１７の切欠１６を圧搾することで、緩衝液を放出してサンプリングデバイス２内に流入させ、最後に混合された液体を測定デバイス１内に注入して検出を行い、本考案は、一体構造の設計によって、収集、徐放および検出をワンステップで実現し、検出効率を向上させる。
【００２３】
本考案の説明において、「中心」、「上」、「下」、「左」、「右」、「垂直」、「水平」、「内」、「外」などの用語で示される方位または位置関係は、図面に示される方位または位置関係に基づいて、本考案を説明し、説明を簡略化するためのものであり、かかる装置またはデバイスは必ず特定の方位を有し、特定の方位で構成および操作されるのを示したり暗示したりするのではなく、本考案の制限として理解することができないことに留意されたい。
【００２４】
上記は本考案の実施例に過ぎず、本考案の範囲を制限するものではなく、本考案の明細書および図面の内容からなされた同等構造または同等プロセス変更、または他の技術分野での直接または間接な応用は、すべて本実用新案登録請求の範囲に含まれるべきである。
【符号の説明】
【００２５】
１      測定デバイス
２      サンプリングデバイス
３      液体貯蔵デバイス
４      ハウジング
５      蓋
６      測定シート
７      透明領域
８      スポンジブロック
９      検出領域
１０    ケーシング
１１    短いねじ口
１２    長いねじ口
１３    ナット
１４    仕切り板
１５    ドレナージチューブ
１６    切欠
１７    ゴム層
１８    ゴムシールプラグ
１９    液体貯蔵領域
【図１】
0003233795.tif 000003
【図２】
0003233795.tif 000004
【図３】
0003233795.tif 000005